(57)【要約】      （修正有）【課題】比較的厚みのある商品を収容可能であり、簡単な工程で立体的に組み立て可能で確実に自立することができる包装用箱を提供する。【解決手段】一方の底部支持片３６の端部には、折罫線６４を介して連続し、箱体の組立状態で筒体底部を閉鎖する外側底蓋片を有する。外側底蓋片の中心には、折罫線６４に対してほぼ平行な切込線６６が設けられている。他方の底部支持片３６の端部には、折罫線４４を介して、連続し外側底蓋片の一部に重ねられる小形の内側底蓋片４２と、内側底蓋片４２の端部に形成され外側底蓋片の切込線６６に差し込まれるとともに、切込線６６に沿って摺動可能な差込片４６を備える。箱体形成片１２が糊付片２２で糊付けされた平坦な折り畳み状態では、差込片４６は切込線６６の一方の端部に近い位置に差し込まれる。箱体形成片１２が引き起こされて筒体とされたときには、差込片４６は切込線６６に沿って摺動して、反対側の端部に近い位置に移動する。【選択図】図１
0003154735.tif 000002
【実用新案登録請求の範囲】
【請求項１】
一枚のブランクシートから一体的に打ち抜かれた箱体形成片からなる包装用箱であり、この箱体形成片には、互いに平行に連接された複数個の側面と、前記側面同士を糊付けする糊付片と、箱体の組立状態で互いに対向する一対の前記側面の、連接方向に対して直角な方向の一端部に連続し組立状態で前記側面の裏面に折り返される一対の底部支持片が各々設けられ、一方の前記底部支持片の端部には、折罫線を介して連続し前記箱体の組立状態で前記側面により組み立てられた筒体を閉鎖する外側底蓋片と、前記外側底蓋片の中心に形成され前記折罫線に対してほぼ平行な切込線が設けられ、他方の底部支持片の端部には、折罫線を介して連続し前記外側底蓋片の一部に重ねられる小形の内側底蓋片と、前記内側底蓋片の端部に形成され前記外側底蓋片の前記切込線に差し込まれるとともに前記切込線に沿って摺動可能な差込片が設けられ、前記箱体形成片が前記糊付片で糊付けされた平坦な折り畳み状態では、前記差込片は前記切込線の一方の端部に近い位置に差し込まれ、前記箱体形成片が前記側面を互いに交差するように引き起こされて筒体とされたときに、前記差込片は前記切込線に沿って摺動して反対側の端部に近い位置に移動し、前記一対の底部支持片を前記側面の裏面に折り返すと、前記外側底蓋片と前記内側底蓋片が互いに重ねられて前記側面の筒体を閉鎖する底部となり、前記外側底蓋片の周縁部は前記側面の裏面に当接し、前記外側底蓋片の前記周縁部は中央部分が外側に膨出する曲線であり、前記側面は前記周縁部に沿って湾曲された曲面となることを特徴とする包装用箱。
【請求項２】
前記包装用箱は、合成樹脂製である請求項１記載の包装用箱。
【請求項３】
前記外側底蓋片は、前記折罫線から離れるに従い、両側へ円弧状に広がる曲線の周縁部と、前記曲線の周縁部と対称形の円弧状の周縁部と、前記一対の曲線の周縁部の各端部を互いに連結し前記外側底蓋片を区切る前記折罫線に対して直角に位置する直線部で形成された変形した楕円形である請求項１記載の包装用箱。
【請求項４】
前記内側底蓋片の形状は、前記外側底蓋片の前記底部支持片に近い約半分の形状であり、前記内側底蓋片を区切る前記折罫線から離れるに従い、両側へ円弧状に広がる曲線の周縁部と、前記外側底蓋片の前記切込線にほぼ一致する直線の端部からなる半円形であり、前記端部から前記差込片が突出して設けられ、前記差込片の先端は、箱体の組立状態で前記外側底蓋片の周縁部と一致する請求項１記載の包装用箱。
【請求項５】
前記包装用箱は、前記底部と反対側の開口部に蓋部材が嵌合されて閉鎖され、前記包装用箱の側面の前記開口部の縁部には、前記蓋部材を保持する突起が設けられている請求項１記載の包装用箱。
【考案の詳細な説明】
【技術分野】
【０００１】
この考案は、商品を個別に収容し自立する包装用箱に関する。
【背景技術】
【０００２】
従来、商品を収容して店頭に自立して陳列される包装用箱がある。自立可能な一般的な矩形の包装用箱以外に、一対の対向する円弧状の側面からなる包装用箱がある。特許文献１に開示されている包装用箱は、一対の対向した円弧状の側面を有し、その側面の各角部から側面と一体に形成され、側面から底面側へ延長して突出した複数の脚部が設けられている。この包装用箱は、この脚部により自立させることができる。また、特許文献２に開示されている曲面箱は、一対の側面と一対の端板が設けられ、一対の側面は凸曲面で形成されている。一対の端板の下端部には折込片が設けられ、折込片により安定して自立することができる。
【先行技術文献】
【特許文献】
【０００３】
【特許文献１】特開平９−３０１３３６号公報
【特許文献２】特開２０００−４３８４２号公報
【考案の概要】
【考案が解決しようとする課題】
【０００４】
上記特許文献１の場合、厚み方向のマチ部がないため、奥行きのある商品や直径の太い商品を包装する場合には適していなかった。特許文献２の場合、一対の端板がマチ部となるが、組み立てが面倒なものであった。さらに、底部は蓋板の差込片を側面の内側に差し込んで係止しただけであり、重い商品を収容する場合には底部を糊付けしたり粘着テープで封止したりする必要があった。
【０００５】
この考案は、上記背景技術の問題点に鑑みてなされたものであり、比較的厚みのある商品を収容可能であり、簡単な工程で立体的に組み立て可能で確実に自立することができる包装用箱を提供することを目的とする。
【課題を解決するための手段】
【０００６】
本考案は、一枚のブランクシートから一体的に打ち抜かれた箱体形成片からなる包装用箱であり、この箱体形成片には、互いに平行に連接された４つの側面と、前記側面同士を糊付けする糊付片と、箱体の組立状態で互いに対向する一対の前記側面の、連接方向に対して直角な方向の一端部に連続し組立状態で前記側面の裏面に折り返される一対の底部支持片が設けられている。一方の前記底部支持片の端部には、折罫線を介して連続し前記箱体の組立状態で前記側面により組み立てられた筒体を閉鎖する外側底蓋片と、前記外側底蓋片の中心に形成され前記折罫線に対してほぼ平行な切込線が設けられている。他方の底部支持片の端部には、折罫線を介して連続し前記外側底蓋片の一部に重ねられる小形の内側底蓋片と、前記内側底蓋片の端部に形成され前記外側底蓋片の前記切込線に差し込まれるとともに前記切込線に沿って摺動可能な差込片が設けられている。前記箱体形成片が前記糊付片で糊付けされた平坦な折り畳み状態では、前記差込片は前記切込線の一方の端部に近い位置に差し込まれ、前記箱体形成片が前記側面を互いに交差するように引き起こされて筒体とされたときに、前記差込片は前記切込線に沿って摺動して反対側の端部に近い位置に移動し、前記一対の底部支持片を前記側面の裏面に折り返すと、前記外側底蓋片と前記内側底蓋片が互いに重ねられて前記側面の筒体を閉鎖する底部となるものである。前記外側底蓋片の周縁部は前記側面の裏面に当接し、前記外側底蓋片の前記周縁部は中央部分が外側に膨出する曲線であり、前記側面は前記周縁部に沿って湾曲された曲面となる。前記包装用箱は、透明又は半透明な合成樹脂製である。
【０００７】
前記外側底蓋片は、前記折罫線から離れるに従い、両側へ円弧状に広がる曲線の周縁部と、前記曲線の周縁部と対称形の円弧状の周縁部と、前記一対の周縁部の各端部を互いに連結し前記外側底蓋片を区切る前記折罫線に対して略直角に位置する直線部で形成された変形した楕円形である。
【０００８】
前記内側底蓋片の形状は、前記外側底蓋片の前記底部支持片に近い約半分の形状であり、前記内側底蓋片を区切る前記折罫線から離れるに従い、両側へ円弧状に広がる曲線の周縁部と、前記外側底蓋片の前記切込線にほぼ一致する直線の端部からなる半円形であり、前記端部から前記差込片が突出して設けられている。前記差込片の先端は、箱体の組立状態で外側底蓋片の周縁部と一致するものである。
【０００９】
また、前記包装用箱は、前記底部と反対側の開口部に蓋部材が嵌合されて閉鎖され、前記包装用箱の側面の前記開口部の縁部には、前記蓋部材を外すための突起が設けられている。
【考案の効果】
【００１０】
本考案の包装用箱は、商品の厚み方向のマチ部を有し、簡単な工程で立体に組み立て可能であり、確実に自立することができ店頭に安定して陳列することができる。折り畳み状態の包装用箱を立体的に組み立てる工程では糊付けが不要であり、作業効率が良い。しかも、収容する商品に沿ったすっきりとした形状で広告効果を高め、消費者に強い印象を与えることができる。
【図面の簡単な説明】
【００１１】
【図１】この考案の一実施形態の包装用箱の展開図である。
【図２】この実施形態の包装用箱の組立工程を示す正面図である。
【図３】この実施形態の包装用箱の組立工程を示す正面図である。
【図４】この実施形態の包装用箱の組立工程を示す正面図である。
【図５】この実施形態の包装用箱の使用状態を示す斜視図である。
【考案を実施するための形態】
【００１２】
以下、この考案の実施形態について図面に基づいて説明する。図１〜図５はこの考案の一実施形態を示すもので、この実施形態の包装用箱１０は、透明又は半透明な合成樹脂製の一枚のブランクシートを打ち抜いて形成された箱体形成片１２を組み立てて設けられている。
【００１３】
図１は、箱体形成片１２を裏面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１６，２０が長くて互いにほぼ等しく、側面１４，１８は短くて互いにほぼ等しい。さらに、側面２０の側縁部には、包装用箱１０の組立状態で側面１４の表面に糊付けされる糊付片２２が設けられている。そして、側面１４，１６，１８，２０、糊付片２２は、各々折罫線２４，２６，２８，３０で区切られている。
【００１４】
側面１６において、側面どうしの連接方向に対して直角な方向の一端部は、側面１４，１８よりも上方に突出する表示部３２となっている。側面１６には、消費者に向けた印刷が上方の表示部３２にかけて印刷されている。側面１６の表示部３２と反対側の端部には、底部支持片３６が折罫線３８で区切られて設けられている。底部支持片３６は、折罫線３８に対して平行な方向の幅が、側面１６とほぼ同じ幅に形成されている。底部支持片３６の、折罫線３８に対して直角方向の幅はそれより短く形成されている。包装用箱１０の組立状態で底部支持片３６の、折罫線３８に対して平行な端部３６ａは、組み立て状態で包装用箱１０の底部が形成されている位置に折り返される長さである。端部３６ａの中央部分は、折罫線３８に近づくようにくぼみ４０が形成されている。くぼみ４０の底部には、内側底蓋片４２が、折罫線３８に対して平行な折罫線４４で区切られて設けられている。折罫線４４は、端部３６ａよりも折罫線３８に近く、折罫線３８に対して平行な直線である。
【００１５】
内側底蓋片４２の形状は、折罫線４４から離れるに従い、両側へ円弧状に広がる周縁部４２ａを有する略半円形であり、周縁部４２ａに対向し、折罫線４４と反対に位置する端部４２ｂは、折罫線４４に対して平行な直線で形成されている。端部４２ｂの、側面１６の折罫線２６に近い位置に、差込片４６が設けられている。差込片４６の形状は、内側底蓋片４２の半分程度の幅であり、内側底蓋片４２の端部４２ｂに連続する基端部分は細く、基端部分の先端側は両側に矩形状に幅広となり、差込片４６の先端である端部４６ａは円弧状に形成されている。この円弧の形状は、内側底蓋片４２の周縁部４２ａの、端部４２ｂを中心線とする線対称の円弧に形成されている。
【００１６】
側面２０の、表示部３２に近い端部２０ａは、折罫線２８に近い部分に突起５０が折罫線５２で区切られて設けられている。突起５０は、折罫線５２に対してほぼ直角に突出する帯体であり、一定幅に形成され、突出方向に対して直角に交差する折罫線５４が複数本設けられている。側面２０の、端部２０ａと反対側の端部には、底部支持片５６が折罫線５８で区切られて設けられている。底部支持片５６は、底部支持片３６と同じ形状であり、折罫線５８に対して平行方向の幅は側面２０とほぼ等しい幅に形成され、折罫線５８に対して直角方向の幅はそれより短く形成されている。底部支持片５６の折罫線５８に対して平行な端部５６ａの中央部分は、折罫線５８に近づくようにくぼみ６０が形成されている。くぼみ６０の底部には、外側底蓋片６２が、折罫線５８に対して平行な折罫線６４で区切られて設けられている。折罫線６４は、端部５６ａよりも折罫線５８に近く、折罫線５８に対して平行な直線で形成されている。
【００１７】
外側底蓋片６２の形状は、折罫線６４から離れるに従い、両側へ円弧状に広がる周縁部６２ａと、周縁部６２ａと対称形の円弧状の周縁部６２ｂと、周縁部６２ａ，６２ｂの各端部を互いに連結する折罫線６４に対して直角に位置する直線部６２ｃ，６２ｄが形成された変形した楕円形である。外側底蓋片６２の中心には、折罫線６４に対して平行な切込線６６が設けられている。
【００１８】
次に、この実施形態の包装用箱１０の組立方法と使用方法について説明する。なお、ここでは図１が包装用箱１０の箱体形成片１２の裏面を見たものであり、箱体形成片１２の表面が凸になる折り方を正折り、そして裏面が凸になる折り方を逆折りと称する。
【００１９】
まず、折罫線２４を正折りして、次に糊付片２２の裏面に糊６８を塗布し、折罫線２８を正折りし、糊付片２２の裏面が糊６８により側面１４の表面に糊付けされ、図２に示すような折り畳み形状に形成される。このとき、差込片４６を外側底蓋片６２の切込線６６に差し込み、外側底蓋片６２の反対側の面へ出す。この状態で、差込片４６は、切込線６６の糊付片２２に近い位置にある。
【００２０】
次に、後述する商品７０を収容し包装する工場等において、折罫線２４，２６，２８，３０を各々９０°に正折りして、図３に示すように四角形の箱体にする。このとき、側面１６，２０は互いに対面するように移動し、それと同時に差込片４６は、外側底蓋片６２の切込線６６の中でスライドして、糊付片２２の側面１８に近い位置に移動する。これにより内側底蓋片４２と外側底蓋片６２が、箱体の厚みを挟んで重ねられる。この後、折罫線３８，５８で、底部支持片３６、底部支持片５６を正折りし、底部支持片３６、底部支持片５６は、側面１６，２０の裏面に重ねられる。そして、折罫線４４，６４をほぼ９０°に逆折りし、内側底蓋片４２、外側底蓋片６２が側面１６，２０に対してほぼ直角に位置するように、箱体の中から指等で位置決めしながら折る。すると、図４に破線で示すような底部が形成される。内側底蓋片４２は、組み立てられた箱体の内側に位置し、外側底蓋片６２は箱体の外側に位置し、互いに重ねられる。内側底蓋片４２の周縁部４２ａは側面１６の裏面に当接し、外側底蓋片６２の周縁部６２ａは側面２０裏面に当接し、側面１６，２０は曲線である周縁部４２ａ、周縁部６２ａに沿って外側に中央部分が突出するように湾曲される。これにより、図５に示すように湾曲した側面１６，２０を有する包装用箱１０となり、変形した楕円形となる。
【００２１】
次に、組み立てられた包装用箱１０の突起５０を折罫線５２で正折りし、中間の折罫線５４で逆折りし、突起５０の先端が端部２０ａから突出する。そして、組み立てられた包装用箱１０の中に円柱状の商品７０を入れる。商品７０の底部７０ａは、包装用箱１０の底部である内側底蓋片４２、外側底蓋片６２に当接して保持される。内側底蓋片４２、外側底蓋片６２は、底部支持片３６，５６のくぼみ４０，６０に交差するように当接してガイドされ、くぼみ４０，６０に沿って内側底蓋片４２、外側底蓋片６２が曲げられ、商品７０の底部７０ａに当接して弾性力があり緩衝効果がある。このとき、突起５０はＶ字に折り畳まれて商品７０と包装用箱１０の側面２０との間にはさまれている。さらに、商品７０の上から包装用箱１０の中へ蓋部材７２を入れ、折り畳まれた突起５０により蓋部材７２を保持する。
【００２２】
ここで、蓋部材７２の説明をする。蓋部材７２は、合成樹脂で成形され、商品７０の上部７０ｂを覆う円形の上面７４と、上面７４周縁部に連続し商品７０の上部７０ｂから一定長さの側面を覆う円筒形の内側面７６と、内側底蓋片４２、外側底蓋片６２下端部７６ａに連続し外側に突出して上方に向かって折り曲げられた外側面７８が設けられている。外側面７８の上端部７８ａは、上面７４と同じ高さに達している。外側面７８は、側面１４，１６，１８，２０の裏面に当接する楕円形状であり、側面１６，２０に当接する面の中央には内側面７６の下端部７６ａに連続する切欠部８０が形成され、切欠部８０は、内側面７６に連続して形成されている。
【００２３】
蓋部材７２は、商品７０を包装用箱１０に入れた後、包装用箱１０に入れられた商品７０の上部７０ｂにかぶせながら装着する。これにより、上面７４と内側面７６は商品７０に当接し、外側面７８は、包装用箱１０の側面１４，１６，１８，２０に当接し、がたつきなく、緩衝性を持つ。商品７０と、側面１６，２０の間は距離が短いが、蓋部材７２に切欠部８０が形成されているため緩衝性が高く、また容易に商品７０を蓋部材７２に入れることができる。
【００２４】
包装用箱１０から商品７０を取り出すときは、突起５０を端部２０ａから上方へ引き出す。すると、突起５０の折罫線５２が伸びるときに蓋部材７２を内側に押して弾性変形させながら上へ引き出し、容易に蓋部材７２が外される。そして商品７０を包装用箱１０から取り出す。
【００２５】
この実施形態の包装用箱１０によれば、簡単な構造で組立作業が容易であり、商品７０の厚み方向のマチ部である側面１４，１８を有し、簡単な工程で立体に組み立て可能であり、確実に自立させることができ店頭に安定して商品７０を陳列することができる。収容する商品７０に厚みがあっても形状に沿ったすっきりとした外観であり広告効果を高め、消費者に強い印象を与えることができる。表示部３２は、広い面積で商品７０についての情報を印刷してアピールすることができる。表示部３２は側面１６と面一に上方に突出しているが、包装用箱１０を重ねたとき上下の側面１６の外側に位置して邪魔にならず、重ねることができ、コンパクトに保管と陳列を行うことができる。開封の際は、突起５０を引くだけで簡単に蓋部材７２を外して商品７０を取り出すことができる。
【００２６】
さらに、折り畳み状態の包装用箱１０を立体的に組み立てる工程では、糊付けが不要で作業が簡単であり、内側底蓋片４２と外側底蓋片６２を係止したままスライドさせて、側面１４，１８を側面１６，２０に対してほぼ直角に正折りしてマチ部のように立体的に箱体とすることができる。
【００２７】
また、蓋部材７２が商品７０をガタツキがなく保持し、コンパクトに収容することができる。底部である内側底蓋片４２、外側底蓋片６２は、底部支持片３６，５６により折罫線３８，５８から一定長さ上方に形成され、緩衝効果がある。また、内側底蓋片４２、外側底蓋片６２は、底部支持片３６，５６のくぼみ４０，６０により湾曲されるため、緩衝効果がより高くなる。
【００２８】
なお、この考案は上記実施形態に限定されるものではなく、各側面の形状や大きさは、収容する商品の形状に合わせて適宜変更可能である。包装用箱の素材は、透明な合成樹脂以外に、紙や、紙と合成樹脂を積層したもの等、自由に選択可能である。表示部がないものでもよい。蓋部材はなくてもよく、形状が異なる蓋部材が設けられているものでもよい。
【符号の説明】
【００２９】
１０  包装用箱
１２  箱体形成片
１４，１６，１８，２０  側面
２２  糊付片
３２  表示部
３６，５６  底部支持片
４０，６０  くぼみ
４２  内側底蓋片
４４，６４  折罫線
４６  差込片
５０  突起
６２  外側底蓋片
６６  切込線
６８  糊
７０  商品
７２  蓋部材
【図１】
0003154735.tif 000003
【図２】
0003154735.tif 000004
【図３】
0003154735.tif 000005
【図４】
0003154735.tif 000006
【図５】
0003154735.tif 000007